(57)【特許請求の範囲】
【請求項１】
人体に対する保持部材を介して咽喉部に押し付けられ、上記咽喉部で生ずる振動を音声信号に変換する第１の振動−電気変換器およびその音声信号出力端子を有する咽喉マイクロホンにおいて、
上記保持部材に加えられる機械的な振動を電気的な雑音信号として検出する第２の振動−電気変換器を備え、上記第１の振動−電気変換器と上記音声信号出力端子との間に、オンオフスイッチ回路もしくは減衰回路からなるＶＯＸ回路が接続されているとともに、上記第２の振動−電気変換器の出力側には、検出された上記雑音信号のレベルを検知するレベル検知回路が接続されており、上記レベル検知回路の出力により上記ＶＯＸ回路が制御され、上記雑音信号のレベルが所定のしきい値以下の場合には上記音声信号がそのまま上記音声出力端子に現れ、上記雑音信号のレベルが所定のしきい値を超える場合には上記音声信号が出力オフもしくは所定に減衰されることを特徴とする咽喉マイクロホン。
【請求項２】
上記保持部材には、上記各振動−電気変換器が収納されるピックアップケースが含まれ、上記第１振動−電気変換器は、所定の防振手段を介して上記ピックアップケース内に配置され、上記第２振動−電気変換器は、上記ピックアップケースの内面に直接的に取り付けられていることを特徴とする請求項１に記載の咽喉マイクロホン。
【請求項３】
上記保持部材として、人体の首部の周りに装着されるほぼＣ字状に形成された弾性を有する線材からなるネックバンドが用いられることを特徴とする請求項１または２に記載の咽喉マイクロホン。
【発明の詳細な説明】
【技術分野】
【０００１】
本発明は、人体の咽喉部で生ずる振動を音声信号として出力する咽喉マイクロホンに関し、さらに詳しく言えば、咽喉部以外の外部から加えられる振動による雑音発生を防止する技術に関するものである。
【背景技術】
【０００２】
通常のコンデンサマイクロホンやダイナミックマイクロホンでは送話が困難な騒音が大きな環境下、例えば飛行機の修理工場やトンネル内の工事現場等においては、咽喉部の振動を検出する咽喉マイクロホンが用いられる。
【０００３】
咽喉マイクロホンは、そのピックアップ（振動検出部）として圧電素子からなる振動−電気変換器を有し、咽喉部に押し付けて使用される。
【０００４】
その場合、手で押し付ける方法では片手が塞がれて不便であることから、両手が自由な状態で送話できるようにするために、多くの場合、ピックアップを咽喉部に押し付けるＣ字状に形成されたネックバンドが用いられる（特許文献１，２参照）。
【先行技術文献】
【特許文献】
【０００５】
【特許文献１】特開平１０−７９９９９号公報
【特許文献２】特開２００５−１１７５３６号公報
【発明の概要】
【発明が解決しようとする課題】
【０００６】
しかしながら、ピックアップは、その構造上、いかなる振動をも拾うため、例えば咽喉マイクロホンを着脱するとき、あるいはピックアップを触手したときには、その振動により不快な雑音が音声信号とともに出力されることがある。
【０００７】
したがって、本発明の課題は、人体の咽喉部で生ずる振動を音声信号として出力する咽喉マイクロホンにおいて、咽喉部以外の外部から加えられる振動による雑音発生を防止することにある。
【課題を解決するための手段】
【０００８】
上記課題を解決するため、本発明は、人体に対する保持部材を介して咽喉部に押し付けられ、上記咽喉部で生ずる振動を音声信号に変換する第１の振動−電気変換器およびその音声信号出力端子を有する咽喉マイクロホンにおいて、上記保持部材に加えられる機械的な振動を電気的な雑音信号として検出する第２の振動−電気変換器を備え、上記第１の振動−電気変換器と上記音声信号出力端子との間に、オンオフスイッチ回路もしくは減衰回路からなるＶＯＸ回路が接続されているとともに、上記第２の振動−電気変換器の出力側には、検出された上記雑音信号のレベルを検知するレベル検知回路が接続されており、上記レベル検知回路の出力により上記ＶＯＸ回路が制御され、上記雑音信号のレベルが所定のしきい値以下の場合には上記音声信号がそのまま上記音声出力端子に現れ、上記雑音信号のレベルが所定のしきい値を超える場合には上記音声信号が出力オフもしくは所定に減衰されることを特徴としている。
【００１１】
また、上記保持部材には、上記各振動−電気変換器が収納されるピックアップケースが含まれ、上記第１振動−電気変換器は、所定の防振手段を介して上記ピックアップケース内に配置され、上記第２振動−電気変換器は、上記ピックアップケースの内面に直接的に取り付けられていることが好ましい。
【００１２】
上記保持部材は、人体の首部の周りに装着されるほぼＣ字状に形成された弾性を有する線材からなるネックバンドが好適であるが、ヘッドセットのマイクロホン支持アームが用いられてもよい。
【発明の効果】
【００１３】
本発明によれば、咽喉マイクロホンの着脱時等の触手によりネックバンド等の保持部材に加えられる機械的振動が雑音検出用の第２の振動−電気変換器により検出され、これにより第１の振動−電気変換器の音声出力レベルが制御（例えば、０レベルのオフ状態もしくは所定に減衰）されるため、咽喉部以外の外部から加えられる振動による雑音発生を防止することができる。
【図面の簡単な説明】
【００１４】
【図１】本発明による咽喉マイクロホンの一実施形態を示す模式図。
【図２】上記実施形態における咽喉マイクロホンの回路図。
【発明を実施するための形態】
【００１５】
次に、図１，２により、本発明の実施形態について説明するが、本発明はこれに限定されるものではない。
【００１６】
図１に示すように、この咽喉マイクロホン１は、基本的な構成として、人体に対する保持部材としてのネックバンド１０と、第１および第２の２つの振動−電気変換器２０，３０とを備える。なお、振動−電気変換器を「ピックアップ」ということがある。
【００１７】
ネックバンド１０は、図示しない人体の首部の周りに装着されるほぼＣ字状に形成された弾性を有する線材（丸棒材や帯板材を含む）からなる。その材質は、金属もしくは合成樹脂のいずれであってもよいが、首部に直接触れることから、肌触りのよい装飾が施されていることが好ましい。なお、ネックバンドに代えて、ヘッドセットのマイクロホン支持アームが用いられてもよい。
【００１８】
この実施形態において、ネックバンド１０の一端側には、各ピックアップ２０，３０を収納するためのピックアップケース１１が一体的に設けられている。このピックアップケース１１の材質も、金属もしくは合成樹脂のいずれであってもよい。
【００１９】
第１および第２の各ピックアップ２０，３０には、加えられる力（外力）によって電圧を発生する圧電素子が用いられる。
【００２０】
圧電素子には、モノモルフ，バイモルフ等のいくつかの種類があるが、そのいずれが用いられてもよい。第１のピックアップ２０と、第２のピックアップ３０は、同一種類の圧電素子であることが好ましいが、異種の圧電素子であってもよい。
【００２１】
この実施形態において、第１のピックアップ２０が音声信号検出用で、第２のピックアップ３０が雑音信号検出用である。
【００２２】
そのため、第１のピックアップ２０は、咽喉部に接触する接触子２０ａを備える。ピックアップケース１１の咽喉部に対応する部位には、開口部１１ａが穿設されており、接触子２０ａは、開口部１１ａから突出している。
【００２３】
また、音声信号検出用の第１のピックアップ２０は、ピックアップケース１１の部分を含めて、ネックバンド１０に加えられる触手等による外力が伝わり難くするようにするため、防振手段としてのゴム弾性体２３を介してピックアップケース１１内に取り付けられていることが好ましい。
【００２４】
これに対して、雑音信号検出用の第２のピックアップ３０は、ピックアップケース１１を含めてネックバンド１０に加えられる外力による機械的な振動を直接的に検出することから、図１に示すように、ピックアップケース１１の内面に直接的に取り付けられることが好ましい。
【００２５】
次に、図２を参照して、この咽喉マイクロホン１の回路構成について説明すると、音声信号検出用の第１のピックアップ２０は、その音声信号出力端子２２との間にＶＯＸ（Ｖｏｉｃｅ  Ｏｐｅｒｒａｔｉｏｎ  Ｃｏｎｔｒｏｌ）回路２１を備える。この実施形態において、ＶＯＸ回路２１は、オンオフスイッチ回路からなるが、減衰回路として構成されてもよい。
【００２６】
また、雑音信号検出用の第２のピックアップ３０には、検出された雑音信号のレベルを検知するレベル検知回路３１が接続されている。
【００２７】
レベル検知回路３１は、ＶＯＸ回路２１に対して、雑音信号のレベルが所定のしきい値レベル以下のときには例えば「Ｌｏ」信号を出力し、雑音信号のレベルがしきい値レベルを超えると例えば「Ｈｉ」信号を出力する。この種のレベル検知回路３１には、例えば新日本無線社製の品番ＮＪＭ２０７２がある。
【００２８】
動作について説明すると、咽喉マイクロホン１がネックバンド１０を介して人体（ユーザー）の咽喉部に押し付けられており、ピックアップケース１１を含めてネックバンド１０に触手等の外力が加えられていない状態では、レベル検知回路３１の出力が「Ｌｏ」であることにより、ＶＯＸ回路２１はスイッチオンに維持され、第１のピックアップ２０にて検出された音声信号が音声信号出力端子２２に現れ、図示しない所定の送信回路を介して受話側の受信回路に送信される。
【００２９】
これに対して、咽喉マイクロホン１の着脱時等において、ピックアップケース１１を含めてネックバンド１０に触手等による外力が加えられると、その外力による振動が雑音信号として第２のピックアップ３０にて検出され、その雑音信号のレベルが所定のしきい値を超えると、レベル検知回路３１の出力が「Ｌｏ」から「Ｈｉ」に転ずる。
【００３０】
これにより、ＶＯＸ回路２１がスイッチオフとなるため、第１のピックアップ２０と音声信号出力端子２２とが遮断され、不快な雑音信号の出力が防止される。なお、ＶＯＸ回路２１が減衰回路である場合には、第１のピックアップ２０から出力される音声信号のレベルが所定のレベルにまで減衰される。
【００３１】
加えられる外力による雑音信号のレベルが所定のしきい値よりも小さくなると、ＶＯＸ回路２１がスイッチオン状態となり、音声信号出力端子２２に第１のピックアップ２０による音声信号が現れる。
【００３２】
このように、本発明によれば、咽喉マイクロホンの着脱やマイクロホンに触手したときに発生する不快な雑音が出力されることを防止することができる。
【符号の説明】
【００３３】
１  咽喉マイクロホン
１０  ネックバンド（保持部材）
１１  ピックアップケース
２０  第１の振動−電気変換器（第１のピックアップ）
２０ａ  接触子
２１  ＶＯＸ回路
２２  音声信号出力端子
２３  ゴム弾性体（防振手段）
３０  第２の振動−電気変換器（第２のピックアップ）
３１  レベル検知回路
【図１】
0005820734.tif 000002
【図２】
0005820734.tif 000003